(57)【要約】【課題】通話のための着呼であるか否か或いは通信端末装置に設定された受信モードに基づいて、通話装置又は通信端末装置を必要に応じて鳴動させるための仕組みを提供する。【解決手段】通信端末装置４０４がＳＩＰレジストラサーバ４０２にレジスト済みであって携帯電話機４０５がレジストされていない状況において、アナログ電話から宅内のＩＰ化固定電話網に着信した時、通信端末装置が着呼を行い、音声が通話かＦＡＸかを判断する。ＦＡＸではなく通話と判断された場合、通信端末装置は携帯電話機の登録状況および携帯電話機の存在を確認する。通信端末装置は、この携帯電話機のパスワードとＩＰアドレスを用いて、携帯電話機に代わってＳＩＰレジストラサーバ４０２に登録する。通信端末装置は通信相手機からの通話呼を携帯電話機に転送する。通信端末装置は、携帯電話機の通話終了を確認すると、携帯電話機に代わって登録を抹消する。【選択図】図１
2010178044.tif 000002
【特許請求の範囲】
【請求項１】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置において、
前記通信制御装置を介して前記相手装置から着信があった際、着呼する着呼手段と、
前記着呼手段が着呼した際、当該着呼が通話のためのものであるか否かを判断する音声判断手段と、
前記通話装置の存在を確認する存在確認手段と、
前記通話装置の前記通信制御装置への登録状況を確認する登録状況確認手段と、
前記通話装置の存在が確認され、かつ前記通話装置が前記通信制御装置に登録されていない場合、前記音声判断手段により前記着呼が通話のためのものであると判断された際、前記通話装置に代わって当該通話装置を前記通信制御装置に登録する登録変更手段とを備えたことを特徴とする通信端末装置。
【請求項２】
前記音声判断手段により前記着呼が通話のためのものでないと判断された場合は、前記登録変更手段は、前記通話装置の前記通信制御装置への登録を行わないことを特徴とする請求項１記載の通信端末装置。
【請求項３】
前記登録変更手段によって前記通話装置が登録された後、前記通話装置と呼接続し、前記相手装置からの通話呼を前記通話装置に転送することを特徴とする請求項１記載の通信端末装置。
【請求項４】
前記通話装置の現在の状況を前記通信制御装置に確認する現在状況確認手段を備え、前記現在状況確認手段によって前記通話装置の通話終了が確認された場合、前記登録変更手段は、前記通話装置の前記通信制御装置への登録を抹消することを特徴とする請求項１記載の通信端末装置。
【請求項５】
前記登録変更手段によって前記通話装置が登録された後、前記相手装置との通話呼を保留し、前記通話装置と呼接続し、その後にその通話呼を保留し、前記相手装置と前記通話装置を呼接続することで、保留転送を行うことを特徴とする請求項１記載の通信端末装置。
【請求項６】
前記通話装置が登録済みである場合、前記音声判断手段によって前記着呼が通話のためのものであると判断された際、前記通信制御装置の転送準備に従って、前記相手装置との通話呼を保留し、前記通話装置と呼接続し、その後にその通話呼を保留し、前記相手装置と前記通話装置を呼接続することで、保留転送を行うことを特徴とする請求項１記載の通信端末装置。
【請求項７】
複数の装置を登録可能な通信制御装置に登録された通話装置であって、前記通信制御装置に登録可能な通信端末装置と同一の電話番号で前記通信制御装置を介して相手装置から着信し、前記相手装置と通話を行うことが可能な通話装置において、
前記通信制御装置を介して前記相手装置から着信があった際、着呼する着呼手段と、
前記着呼手段が着呼した際、当該着呼が通話のためのものであるか否かを判断する音声判断手段と、
前記通信端末装置の存在を確認する存在確認手段と、
前記通信端末装置の前記通信制御装置への登録状況を確認する登録状況確認手段と、
前記通信端末装置の存在が確認され、かつ前記通信端末装置が前記通信制御装置に登録されていない場合、前記音声判断手段により前記着呼が通話のためのものでないと判断された際、前記通信端末装置に代わって当該通信端末装置を前記通信制御装置に登録する登録変更手段とを備えたことを特徴とする通話装置。
【請求項８】
前記音声判断手段により前記着呼が通話のためのものであると判断された場合は、前記登録変更手段は、前記通信端末装置の前記通信制御装置への登録を行わないことを特徴とする請求項７記載の通信端末装置。
【請求項９】
前記登録変更手段によって前記通信端末装置が登録された後、前記通信端末装置と呼接続し、前記相手装置からの呼を前記通信端末装置に転送することを特徴とする請求項７記載の通話装置。
【請求項１０】
前記通信端末装置の現在の状況を前記通信制御装置に確認する現在状況確認手段を備え、前記現在状況確認手段によって前記通信端末装置の通信終了が確認された場合、前記登録変更手段は、前記通信端末装置の前記通信制御装置への登録を抹消することを特徴とする請求項７記載の通話装置。
【請求項１１】
前記登録変更手段によって前記通信端末装置が登録された後、前記相手装置との呼を保留し、前記通信端末装置と呼接続し、その後にその呼を保留し、前記相手装置と前記通信端末装置を呼接続することで、保留転送を行うことを特徴とする請求項７記載の通話装置。
【請求項１２】
前記通信端末装置が登録済みである場合、前記音声判断手段によって前記着呼が通話のためのものでないと判断された際、前記通信制御装置の転送準備に従って、前記相手装置との呼を保留し、前記通信端末装置と呼接続し、その後にその呼を保留し、前記相手装置と前記通信端末装置を呼接続することで、保留転送を行うことを特徴とする請求項７記載の通話装置。
【請求項１３】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置において、
受信モードを設定するモード設定手段と、
前記通話装置の存在を確認する存在確認手段と、
前記通話装置の前記通信制御装置への登録状況を確認する登録状況確認手段と、
前記設定された受信モード、前記通話装置の存在および前記通話装置の登録状況に応じて、前記通話装置の前記通信制御装置への登録状況を変更する登録変更手段とを備えたことを特徴とする通信端末装置。
【請求項１４】
前記モード設定手段により前記受信モードとしてデータ通信優先モードが設定された際、前記通話装置が存在し、かつ前記通話装置が前記通信制御装置に登録されていた場合、前記登録変更手段は、前記通話装置の前記通信制御装置への登録を抹消することを特徴とする請求項１３記載の通信端末装置。
【請求項１５】
前記モード設定手段により前記受信モードとしてデータ通信優先モード以外のモードが設定された際、前記通話装置が存在し、かつ前記通話装置が前記通信制御装置に登録されていない場合、前記登録変更手段は、前記通話装置の前記通信制御装置への登録を行うことを特徴とする請求項１３記載の通信端末装置。
【請求項１６】
前記データ通信優先モードは、前記通信端末装置に接続された通話端末を使用させることなく、無鳴動で受信するモードであることを特徴とする請求項１４または１５記載の通信端末装置。
【請求項１７】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置の制御方法であって、
前記通信制御装置を介して前記相手装置から着信があった際、着呼する着呼ステップと、
前記着呼ステップで着呼した際、当該着呼が通話のためのものであるか否かを判断する音声判断ステップと、
通話装置の前記通信制御装置への登録状況を確認する登録状況確認ステップと、
前記通話装置の存在を確認する存在確認ステップと、
前記通話装置の存在が確認され、かつ前記通話装置が前記通信制御装置に登録されていない場合、前記音声判断ステップで前記着呼が通話のためのものであると判断された際、前記通話装置に代わって当該通話装置を前記通信制御装置に登録する登録変更ステップとを有することを特徴とする通信端末装置の制御方法。
【請求項１８】
複数の装置を登録可能な通信制御装置に登録された通話装置であって、前記通信制御装置に登録可能な通信端末装置と同一の電話番号で前記通信制御装置を介して相手装置から着信し、前記相手装置と通話を行うことが可能な通話装置の制御方法であって、
前記通信制御装置を介して相手装置から着信があった際、着呼する着呼ステップと、
前記着呼ステップで着呼した際、当該着呼が通話のためのものであるか否かを判断する音声判断ステップと、
前記通信端末装置の前記通信制御装置への登録状況を確認する登録状況確認ステップと、
前記通信端末装置の存在を確認する存在確認ステップと、
前記通信端末装置の存在が確認され、かつ前記通信端末装置が前記通信制御装置に登録されていない場合、前記音声判断ステップで前記着呼が通話のためのものでないと判断された際、前記通信端末装置に代わって当該通信端末装置を前記通信制御装置に登録する登録変更ステップとを有することを特徴とする通話装置の制御方法。
【請求項１９】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置の制御方法であって、
受信モードを設定するモード設定ステップと、
前記通話装置の前記通信制御装置への登録状況を確認する登録状況確認ステップと、
前記通話装置の存在を確認する存在確認ステップと、
前記設定された受信モード、前記通話装置の存在および前記通話装置の登録状況に応じて、前記通話装置の前記通信制御装置への登録状況を変更する登録変更ステップとを有することを特徴とする通信端末装置の制御方法。
【請求項２０】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置の制御方法をコンピュータに実行させるプログラムであって、
前記制御方法は、
前記通信制御装置を介して前記相手装置から着信があった際、着呼する着呼ステップと、
前記着呼ステップで着呼した際、当該着呼が通話のためのものであるか否かを判断する音声判断ステップと、
通話装置の前記通信制御装置への登録状況を確認する登録状況確認ステップと、
前記通話装置の存在を確認する存在確認ステップと、
前記通話装置の存在が確認され、かつ前記通話装置が前記通信制御装置に登録されていない場合、前記音声判断ステップで前記着呼が通話のためのものであると判断された際、前記通話装置に代わって当該通話装置を前記通信制御装置に登録する登録変更ステップとを有することを特徴とするプログラム。
【請求項２１】
複数の装置を登録可能な通信制御装置に登録された通話装置であって、前記通信制御装置に登録可能な通信端末装置と同一の電話番号で前記通信制御装置を介して相手装置から着信し、前記相手装置と通話を行うことが可能な通話装置の制御方法をコンピュータに実行させるプログラムであって、
前記制御方法は、
前記通信制御装置を介して相手装置から着信があった際、着呼する着呼ステップと、
前記着呼ステップで着呼した際、当該着呼が通話のためのものであるか否かを判断する音声判断ステップと、
前記通信端末装置の前記通信制御装置への登録状況を確認する登録状況確認ステップと、
前記通信端末装置の存在を確認する存在確認ステップと、
前記通信端末装置の存在が確認され、かつ前記通信端末装置が前記通信制御装置に登録されていない場合、前記音声判断ステップで前記着呼が通話のためのものでないと判断された際、前記通信端末装置に代わって当該通信端末装置を前記通信制御装置に登録する登録変更ステップとを有することを特徴とするプログラム。
【請求項２２】
複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置の制御方法をコンピュータに実行させるプログラムであって、
前記制御方法は、
受信モードを設定するモード設定ステップと、
前記通話装置の前記通信制御装置への登録状況を確認する登録状況確認ステップと、
前記通話装置の存在を確認する存在確認ステップと、
前記設定された受信モード、前記通話装置の存在および前記通話装置の登録状況に応じて、前記通話装置の前記通信制御装置への登録状況を変更する登録変更ステップとを有することを特徴とするプログラム。
【請求項２３】
複数の装置を登録可能な通信制御装置と、前記通信制御装置に登録可能な通話装置と、前記通信制御装置に登録された通信端末装置であって、前記通話装置と同一の電話番号で前記通信制御装置を介して相手装置から着信し、前記相手装置と通話以外のデータ通信を行うことが可能な通信端末装置とを備えた通信システムであって、
前記通信端末装置が、
前記通信制御装置を介して前記相手装置から着信があった際、着呼する着呼手段と、
前記着呼手段が着呼した際、当該着呼が通話のためのものであるか否かを判断する音声判断手段と、
前記通話装置の前記通信制御装置への登録状況を確認する登録状況確認手段と、
前記通話装置の存在を確認する存在確認手段と、
前記通話装置の存在が確認され、かつ前記通話装置が前記通信制御装置に登録されていない場合、前記音声判断手段により前記着呼が通話のためのものであると判断された際、前記通話装置に代わって当該通話装置を前記通信制御装置に登録する登録変更手段とを備えたことを特徴とする通信システム。
【請求項２４】
複数の装置を登録可能な通信制御装置と、前記通信制御装置に登録可能な通信端末装置と、前記通信制御装置に登録された通話装置であって、前記通信端末装置と同一の電話番号で前記通信制御装置を介して相手装置から着信し、前記相手装置と通話を行うことが可能な通話装置とを備えた通信システムであって、
前記通話装置が、
前記通信制御装置を介して相手装置から着信があった際、着呼する着呼手段と、
前記着呼手段が着呼した際、当該着呼が通話のためのものであるか否かを判断する音声判断手段と、
前記通信端末装置の前記通信制御装置への登録状況を確認する登録状況確認手段と、
前記通信端末装置の存在を確認する存在確認手段と、
前記通信端末装置の存在が確認され、かつ前記通信端末装置が前記通信制御装置に登録されていない場合、前記音声判断手段により前記着呼が通話のためのものでないと判断された際、前記通信端末装置に代わって当該通信端末装置を前記通信制御装置に登録する登録変更手段とを備えたことを特徴とする通信システム。
【発明の詳細な説明】
【技術分野】
【０００１】
本発明は、通信制御装置を介して相手装置と通信する通信端末装置、通信端末装置の制御方法、通話装置、通話装置の制御方法、通信システムおよびプログラムに関する。
【背景技術】
【０００２】
従来、ＳＩＰ（Session Initiation Protocol）などの呼制御プロトコルを利用して通信を行うことが知られている。ＳＩＰを用いる場合、ＳＩＰサーバなどの通信制御装置に対して端末機器の情報をレジスト（登録）しておくと、ＳＩＰサーバが他の装置からの呼び出しを着信した場合、登録されている端末機器に対してその呼び出しが転送される（例えば、特許文献１）。  
また、最近では、無線ＬＡＮモードを持つ携帯電話機が普及しつつある。その一方で、従来のアナログ固定電話網のＩＰ化が進行中である。このような環境下では、無線ＬＡＮモード付き携帯電話機は、例えば、宅内において、ＩＰ化された固定電話網側に設置されたＳＩＰレジストラサーバにレジスト（登録）されることで、従来の固定電話網を経由して安い通話料金で通話することができる。
【０００３】
即ち、無線ＬＡＮモード付き携帯電話機がＩＰ化された固定電話網（ＩＰ化固定電話網）からの着信を受け付けたい場合、通常、手動または自動で無線ＬＡＮモード付き携帯電話機をＳＩＰレジストラサーバにレジストしておく。これにより、他の装置からの呼び出しを無線ＬＡＮモード付き携帯電話機が着信することができる。なおこのとき、例えば特許文献１に記載されているようにして、ＳＩＰレジストラサーバへの通信端末の登録、登録の更新、登録の削除などの処理が実行される。
【０００４】
ところで、ＳＩＰレジストラサーバへのレジスト（登録）には有効期間が設定されている。無線ＬＡＮモード付き携帯電話機は、この有効期間内に自動でレジスタ（ＲＥＧＩＳＴＥＲ）を再発行して更新することで、レジストが維持される。
【０００５】
レジストが維持されている場合、宅内へのＩＰ化固定電話網からの着信は、着信信号（ＩＮＶＩＴＥ）がレジストされた無線ＬＡＮモード付き携帯電話機に転送（プロキシ）される。これにより、着信を受けることができる。
【０００６】
また、無線ＬＡＮモード付き携帯電話機がレジストを自動更新しない場合、ＳＩＰレジストラサーバは、レジストの有効期限を越えると、直ちにレジストを削除（抹消）する。また、無線ＬＡＮ付き携帯電話機の電源をＯＦＦにすると、無線ＬＡＮモード付き携帯電話機は、通常、アンレジスタ（登録削除のためのＲＥＧＩＳＴＥＲ）を発行し、ＳＩＰレジストラサーバへの登録を削除する。レジストが削除されると、それ以降の着信（ＩＮＶＩＴＥ）は、この無線ＬＡＮモード付き携帯電話機に転送（プロキシ）されない。
【０００７】
また、このような無線ＬＡＮモード付き携帯電話機は、宅外でＬＡＮ端末として使用される場合がある。その一方、宅外では必ずしもＩＰ化固定電話網にレジストできない場合がある。このようなレジストできない環境で、無駄なレジスタの発行による電力消費を避けるため、ＬＡＮモードと、ＩＰ化固定電話網経由で通話をするための宅内通話モード（ＲＥＧＩＳＴＥＲを発行する）とは、独立したモード設定になることが普通である。
【先行技術文献】
【特許文献】
【０００８】
【特許文献１】特開２００６−０５４５０９号公報
【発明の概要】
【発明が解決しようとする課題】
【０００９】
しかしながら、上記従来の通信端末装置では、以下に掲げる問題があった。すなわち、無線ＬＡＮモード付き携帯電話機と通信端末装置とが、同じＩＰ化固定電話網に同じ電話番号（代表電話番号）でレジストされる状況では、つぎのような問題があった。
【００１０】
具体的に、無線ＬＡＮモード付き携帯電話機が宅内通話モードに設定されている場合、着信信号（ＩＮＶＩＴＥ）があると、この着信信号は同一電話番号である携帯電話機と通信端末装置に並行して送信される。従って、音声（通話またはＦＡＸ）が着信する度に、携帯電話機と通信端末装置との両方が鳴動するという問題があった。
【００１１】
そこで、本発明は、通話のための着呼であるか否かに基づいて、或いは通信端末装置に設定された受信モードに基づいて、携帯電話機または通信端末装置を必要に応じて鳴動させるための仕組みを提供することを目的とする。
【課題を解決するための手段】
【００１２】
上記目的を達成するために、本発明の通信端末装置は、複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置において、前記通信制御装置を介して前記相手装置から着信があった際、着呼する着呼手段と、前記着呼手段が着呼した際、当該着呼が通話のためのものであるか否かを判断する音声判断手段と、前記通話装置の存在を確認する存在確認手段と、前記通話装置の前記通信制御装置への登録状況を確認する登録状況確認手段と、前記通話装置の存在が確認され、かつ前記通話装置が前記通信制御装置に登録されていない場合、前記音声判断手段により前記着呼が通話のためのものであると判断された際、前記通話装置に代わって当該通話装置を前記通信制御装置に登録する登録変更手段とを備えたことを特徴とする。
【００１３】
本発明の通話装置は、複数の装置を登録可能な通信制御装置に登録された通話装置であって、前記通信制御装置に登録可能な通信端末装置と同一の電話番号で前記通信制御装置を介して相手装置から着信し、前記相手装置と通話を行うことが可能な通話装置において、前記通信制御装置を介して前記相手装置から着信があった際、着呼する着呼手段と、前記着呼手段が着呼した際、当該着呼が通話のためのものであるか否かを判断する音声判断手段と、前記通信端末装置の存在を確認する存在確認手段と、前記通信端末装置の前記通信制御装置への登録状況を確認する登録状況確認手段と、前記通信端末装置の存在が確認され、かつ前記通信端末装置が前記通信制御装置に登録されていない場合、前記音声判断手段により前記着呼が通話のためのものでないと判断された際、前記通信端末装置に代わって当該通信端末装置を前記通信制御装置に登録する登録変更手段とを備えたことを特徴とする。
【００１４】
本発明の通信端末装置は、複数の装置を登録可能な通信制御装置に登録された通信端末装置であって、前記通信制御装置に登録可能な通話装置と同一の電話番号で前記通信制御装置を介して相手装置から着信し、前記相手装置と通話以外のデータ通信を行うことが可能な通信端末装置において、受信モードを設定するモード設定手段と、前記通話装置の存在を確認する存在確認手段と、前記通話装置の前記通信制御装置への登録状況を確認する登録状況確認手段と、前記設定された受信モード、前記通話装置の存在および前記通話装置の登録状況に応じて、前記通話装置の前記通信制御装置への登録状況を変更する登録変更手段とを備えたことを特徴とする。
【発明の効果】
【００１５】
本発明によれば、通話のための着呼であるか否かに基づいて、或いは通信端末装置に設定された受信モードに基づいて、通話装置または通信端末装置を必要に応じて鳴動させることができる。
【図面の簡単な説明】
【００１６】
【図１】第１の実施形態における通信システムの構成を示す図である。
【図２】通信端末装置４０４として用いられるデジタル複合機２０２の電気的構成を示す図である。
【図３】通信端末装置の着信動作手順の概略を示すフローチャートである。
【図４】通信システムにおいて着信がファクシミリである場合の動作を示すシーケンス図である。
【図５】着信がファクシミリである場合の通信端末装置の着信動作手順を示すフローチャートである。
【図６】通信システムにおいて着信が通話である場合の動作を示すシーケンス図である。
【図７】着信が通話である場合の通信端末装置の着信動作手順を示すフローチャートである。
【図８】図７につづく着信が通話である場合の通信端末装置の着信動作手順を示すフローチャートである。
【図９】第２の実施形態の通信システムにおいて着信が通話である場合の動作を示すシーケンス図である。
【図１０】図９につづく通信システムにおいて着信が通話である場合の動作を示すシーケンス図である。
【図１１】着信が通話である場合の通信端末装置の着信動作手順を示すフローチャートである。
【図１２】図１１につづく着信が通話である場合の通信端末装置の着信動作手順を示すフローチャートである。
【図１３】第３の実施形態の通信システムにおいて着信が通話である場合の動作を示すシーケンス図である。
【図１４】図１３につづく通信システムにおいて着信が通話である場合の動作を示すシーケンス図である。
【図１５】着信が通話である場合の通信端末装置の着信動作手順を示すフローチャートである。
【図１６】図１５につづく着信が通話である場合の通信端末装置の着信動作手順を示すフローチャートである。
【図１７】ユーザモード画面を示す図である。
【図１８】送信／受信仕様設定画面を示す図である。
【図１９】受信仕様設定画面を示す図である。
【図２０】自動受信仕様設定画面を示す図である。
【図２１】通信端末装置の動作手順を示すフローチャートである。
【発明を実施するための形態】
【００１７】
本発明の通信端末装置、通信端末装置の制御方法、通話装置、通話装置の制御方法、通信システムおよびプログラムの実施の形態について図面を参照しながら説明する。本実施形態の通信端末装置はデジタル複合機に適用される。
【００１８】
［第１の実施形態］
図１は第１の実施形態における通信システムの構成を示す図である。通信システムには、ＩＰ網を通じて通信相手機４０１（相手装置）と接続される宅内ルータ／スイッチ／ＳＩＰレジストラサーバ４０２（通信制御装置）が配置されている。また、通信相手機４０１は、宅内ルータ／スイッチ／ＳＩＰレジストラサーバ４０２に繋がるネットワークを通じて通信端末装置４０４と接続される。
【００１９】
また、宅内ルータ／スイッチ／ＳＩＰレジストラサーバ（以下、単に、ＳＩＰレジストラサーバあるいはＳＩＰサーバともいう）４０２には、宅内で無線ＬＡＮ機器が接続可能なアクセスポイント４０３が繋がれている。このアクセスポイント４０３にアクセスできる無線ＬＡＮ機器の１つとして、無線ＬＡＮモード付き携帯電話機４０５が存在している。この無線ＬＡＮモード付き携帯電話機４０５は複数の装置を登録可能な通信制御装置に登録される通話装置の一例である。
【００２０】
また、この通信システムでは、ＩＰ網から着信する同一の電話番号である代表電話番号（０３−＊＊＊＊−＊＊＊＊）が割り当てられている。この内線端末として、通信端末装置４０４（内線：２、パスワード：ａａ、自機ＩＰアドレス：１９２．１６８．０．２２）はＳＩＰレジストラサーバ４０２にレジスト（登録）されることで使用可能となる。同様に、無線ＬＡＮモード付き携帯電話機４０５（内線：１、パスワード：ｂｂ、自機ＩＰアドレス：１９２．１６８．０．２１）はＳＩＰレジストラサーバ４０２にレジスト（登録）されることで使用可能となる。
【００２１】
本実施形態では、ＩＰ網からの着信時、通信端末装置４０４はレジスト済みの状態であり、無線ＬＡＮモード付き携帯電話機４０５はレジストされていない状態にあるとする。
【００２２】
図２は通信端末装置４０４として用いられるデジタル複合機２０２の電気的構成を示す図である。デジタル複合機２０２は、デジタル複合機全体の動作を司る制御ユニット２０４、出力画像の記録紙への印刷を行うプリンタ装置２１４、および記録紙から入力画像を読み取って画像データとして装置内部に取り込むリーダ装置２１８から主に構成される。また、デジタル複合機２０２には、操作パネル部２０８および外部メモリ２１０が設けられている。
【００２３】
制御ユニット２０４は、ネットワーク２０１と繋がる通信線２０３を介して個々のクライアント端末やサーバ端末との入出力を司る入出力部２０５を有し、この入出力部２０５を通じて、各端末と通信を行う。また、制御ユニット２０４は、システムバス２１３を介して接続される、入出力バッファ２０６、ＣＰＵ２０７、プログラムＲＯＭ２２２、ＲＡＭ２１２、不揮発性ＲＡＭ（ＮＶＲＡＭ）２３３およびパネルインタフェース（Ｉ／Ｆ）部２０９を有する。また、制御ユニット２０４は、システムバス２１３を介して接続される、メモリＩ／Ｆ部２１１、ビットマップ画像転送部２１７、インターフェイス部エンジン２１６、スキャナインターフェイス部２２０およびビットマップ画像受信部２２１を有する。
【００２４】
入出力バッファ２０６は、ネットワークから入力される印刷のための制御コードや各種ＰＤＬデータを含む各種データや装置内の各種データの送受信を行う際に利用される。ＣＰＵ２０７は制御ユニット全体の動作を制御する。プログラムＲＯＭ２２２には、ＣＰＵの動作を記述するプログラムが内蔵されている。ＲＡＭ２１２は、前述した制御コード、データの解釈や印刷、画像の読み込み等に必要な計算、入出力される画像データの処理のためのワークメモリに利用される。不揮発性ＲＡＭ（ＮＶＲＡＭ）２３３は、装置の電源が遮断されても保持しておく必要のあるデータを格納する。
【００２５】
プログラムＲＯＭ２２２には、制御コマンド（データ）解釈部２２３、ＰＤＬコマンド解釈部２２４、画像情報生成部２２５、ビットマップ画像展開部２２６、画像圧縮／解凍部２２７、画像データ印刷部２２８および画像データ送信部２２９が内蔵されている。また、プログラムＲＯＭ２２２には、画像データ読み取り部２３０、登録画像管理部２３１、ユーザ管理部２３２、ユーザ認証部２３６、画像合成部２３７および画像データ受信部２３８が内蔵されている。
【００２６】
制御コマンド解釈部２２３はホストコンピュータから受信した印刷制御データを解釈する。ＰＤＬコマンド解釈部２２４はＰＤＬのデータを解釈する。画像情報生成部２２５は各種の画像オブジェクトを生成する。ビットマップ画像展開部２２６は画像オブジェクトをビットマップ画像に展開する。画像圧縮／解凍部２２７はそれぞれの処理により得られたビットマップ画像の圧縮／解凍を行う。
【００２７】
画像データ印刷部２２８は画像データの印刷時の制御を司る。画像データ送信部２２９は画像データの送信時の制御を司る。画像データ読み取り部２３０は画像データのスキャン時の制御を司る。登録画像管理部２３１は、展開された画像や、ＰＤＬのデータを再利用して印字したり、定型のフォームとして利用するオーバレイのデータを外部メモリ２１０に保持して管理する。
【００２８】
ユーザ管理部２３２は、機器を利用できるユーザのユーザ名、パスワード等のユーザ情報を管理する。ユーザ認証部２３６は、データやパネルにより機器にアクセスされた場合にユーザの認証を行う。画像合成部２３７は、バリアブルプリント時の色処理具合に対する警告とその解決を行う。画像データ受信部２３８は画像データの受信時の制御を司る。
【００２９】
ビットマップ画像転送部２１７は、ビットマップ画像展開部２２６によって展開されたビットマップ画像や、リーダ装置２１８から読み込まれたビットマップ画像等をプリンタ装置２１４に転送する。エンジンＩ／Ｆ部２１６は、制御ユニット２０４とプリンタ装置２１４の制御ユニットとを繋ぐ。
【００３０】
ビットマップ画像受信部２２１は、リーダ装置２１８と制御ユニット２０４とを繋ぐスキャナＩ／Ｆ部２２０を介して、リーダ装置２１８内のスキャナ部から読み込まれたビットマップ画像を取り込む。
【００３１】
また、操作パネル部２０８は、制御ユニット２０４と操作パネル部２０８を繋ぐパネルＩ／Ｆ部２０９を介して、ユーザ毎にコマンドの制限を行う情報の入力や、機器全体の操作、およびエラーや操作ガイドなどの表示を行う。外部メモリ２１０は、制御ユニット２０４と外部メモリ２１０を繋ぐメモリＩ／Ｆ部２１１を介して入力される、印刷データや外部から入力された画像データ、印刷装置の各種情報等の保存に利用される。
【００３２】
操作パネル部２０８は、登録されている登録画像を表示したり、印刷状況等、本デジタル複写機の各種情報を表示する液晶パネルを有する。この液晶パネルの画面には、タッチパネルが設けられている。ユーザがこの画面に触れた場合、その入力を検知し、この画面から文字情報の入力等を行うことが可能である。
【００３３】
操作パネル部２０８には、図示しないスタートキー、リセットキー、スイッチ、テンキー、カーソルキー、決定キー、機能キーおよびログインキーが設けられている。スタートキーはコピー等のスタートを指示する。リセットキーは機器のリセットを行う。スイッチは電源ＯＮ／ＯＦＦを行う。テンキーはコピー枚数等を指定するために利用される。カーソルキーおよび決定キーは、液晶パネルに表示されているカーソルの移動や表示されている機能の選択を行うときに利用される。機能キーは、デジタル複合機の機能をコピー、画像送信、文書管理のうちいずれかのモードに切り替える。ログインキーは、利用するユーザを識別し、認証するために利用される。
【００３４】
プリンタ装置２１４には、紙の給紙から印刷、排出までの印刷制御を行うエンジン制御部２１５が設けられている。リーダ装置２１８には、画像を読み込むための記録紙の給紙、画像の読み込み、排出までの画像読み込みの制御を行うスキャナ制御部２１９が設けられている。
【００３５】
つぎに、上記構成を有する通信システムにおける通信端末装置の着信動作を示す。図３は通信端末装置の着信動作手順の概略を示すフローチャートである。前述した通信システムの下で、デジタル複合機２０２である通信端末装置４０４は着信時にＣＮＧ検出を行う。ファクシミリ（ＦＡＸ）信号だった場合、通信端末装置４０４はそのまま受信を行い、通話だった場合、通信端末装置は通話装置の登録状況（通話装置がレジスト済みであるかどうか）を確認するために空レジスタを発行する。また、通信端末装置は、ＰＩＮＧを送信することにより、当該ＰＩＮＧに対する応答の有無等に基づいて通話装置の存在を確認する。そして、通話装置の存在が確認され、かつ通話装置が登録されていない場合は、通信端末装置が、通話装置の代わりに当該通話装置をレジスト（登録）する。
【００３６】
ここでは、通信端末装置４０４がレジスト済みであり、携帯電話機４０５がレジストされていない状況の場合を示す。
【００３７】
通信端末装置４０４は、通信相手機４０１（例えば、アナログ電話）から、宅内ルータ／スイッチ／ＳＩＰレジストラサーバ４０２を介して代表電話番号（０３−××××−××××）で宅内のＩＰ化固定電話網に着信があるまで待つ（ステップＳ１）。着信があった時、ＳＩＰレジストラサーバ４０２にレジスト済みの通信端末装置４０４は着呼を行う（ステップＳ２）。そして、通信端末装置４０４は、ＣＮＧ検出を行い、その音声が通話であるかＦＡＸ信号（以下、単にＦＡＸという）であるかを判断する（ステップＳ３）。
【００３８】
ＦＡＸと判断された場合には、通信端末装置４０４はそのまま受信する（ステップＳ４）。一方、ＦＡＸではなく通話と判断された場合、通信端末装置４０４は、無線ＬＡＮモード付き携帯電話機４０５の登録状況を確認する。つまり、通信端末装置４０４は、無線ＬＡＮモード付き携帯電話機４０５がレジスト済みであるかどうかを確認するために空レジスタ（ＲＥＧＩＳＴＥＲ）を発行する。さらに、通信端末装置４０４は、無線ＬＡＮモード付き携帯電話機４０５の存在（ｐｉｎｇ応答等）を確認し、携帯電話機４０５がＬＡＮ上にあるがレジストされていない否かを判別する（ステップＳ５）。なお、ステップＳ５の処理は存在確認手段および登録状況確認手段の一例である。ＳＩＰレジストラサーバ４０２に携帯電話機４０５がレジスト（登録）されている場合、通信端末装置４０４はそのまま本処理を終了する。
【００３９】
一方、ステップＳ５で携帯電話機４０５がＬＡＮ上にあるがＳＩＰレジストラサーバ４０２にレジストされていなかった場合、通信端末装置４０４は、無線ＬＡＮモード付き携帯電話機４０５に代わってレジスト（登録）する（ステップＳ６）。すなわち、通信端末装置４０４は、無線ＬＡＮモード付き携帯電話機４０５のパスワードとＩＰアドレス（パスワード：ｂｂ、ＩＰアドレス：１９２．１６８．０．２１）を用いて、レジストする。これにより、無線ＬＡＮモード付き携帯電話機４０５は着信受付け可能になる。これを確認すると、通信端末装置４０４は通話呼を無線ＬＡＮモード付き携帯電話機４０５に転送する（ステップＳ７）。
【００４０】
その後、通信端末装置４０４は、セッション（プレゼンス状況）を確認し、無線ＬＡＮモード付き携帯電話機４０５の通話が終了したか否かを判別する（ステップＳ８）。このステップＳ８の処理は現在状況確認手段の一例である。終了していない場合、通信端末装置４０４は、ステップＳ８の処理を繰り返す。一方、通話が終了した場合、通信端末装置４０４は、携帯電話機４０５のパスワードとＩＰアドレス（パスワード：ｂｂ、ＩＰアドレス：１９２．１６８．０．２１）を用いて、携帯電話機４０５に代わってアンレジスト（登録抹消）する（ステップＳ９）。この後、通信端末装置４０４は本処理を終了する。
【００４１】
つぎに、上記通信システムにおける通信端末装置の着信動作をより詳細に説明する。図４は通信システムにおいて着信がファクシミリである場合の動作を示すシーケンス図である。
【００４２】
前述したように、通信システムは、通信端末装置４０４がレジスト済みであって、携帯電話機４０５がレジストされていない状況にあるとする。この状況において、通信相手機４０１から、宅内ルータ／スイッチ／ＳＩＰレジストラサーバ４０２を介して、代表電話番号（０３−××××−××××）で宅内のＩＰ化固定電話網に着信がある（Ｔ１０１）。このように、通信相手機４０１から、ＳＩＰレジストラサーバ４０２にレジスト済みの通信端末装置４０４に対して新規呼接続要求“ＩＮＶＩＴＥ”が来ると（Ｔ１０２）、通信端末装置４０４が着呼する。
【００４３】
その後、ＳＩＰの手順に従って、通信相手機４０１と通信端末装置４０４との間で呼が確立する（Ｔ１０３）。
【００４４】
通信端末装置４０４でＣＮＧ検出が行われ、その音声が通話とファクシミリ（ＦＡＸ）のどちらであるかが判断される（Ｔ１０４）。ＦＡＸと判断された場合、通信端末装置４０４で受信が行われる（Ｔ１０５）。すなわち、データ通信“Ｍｅｄｉａ  Ｓｅｓｓｉｏｎ”が行われ、このデータ通信終了後に通信相手機４０１からセッション終了要求“ＢＹＥ”が送出される。これを受け取った通信端末装置４０４から“２００  ＯＫ”が返答されることで、このセッションは終了する（Ｔ１０５）。
【００４５】
図５は着信がファクシミリである場合の通信端末装置の着信動作手順を示すフローチャートである。通信端末装置４０４は、通信相手機４０１から宅内ルータ／スイッチ／ＳＩＰレジストラサーバ４０２を介して代表電話番号で宅内のＩＰ化固定電話網に着信があるまで待つ（ステップＳ１１）。ＳＩＰレジストラサーバ４０２にレジスト済みの通信端末装置４０４は、着信があり、通信相手機４０１から新規呼接続要求“ＩＮＶＩＴＥ”が来ると（ステップＳ１２）、着呼する（ステップＳ１３）。
【００４６】
通信端末装置４０４は、ＳＩＰの手順に従って、通信相手機４０１との間で呼を確立する（ステップＳ１４）。通信端末装置４０４は、ＣＮＧ検出を行い、その音声が通話かＦＡＸかを判断する（ステップＳ１５）。通信端末装置４０４は、通話の場合、通話時の処理を行い（ステップＳ１６）、ＦＡＸの場合、そのまま受信を行う（ステップＳ１７）。この後、通信端末装置４０４は本処理を終了する。
【００４７】
図６は通信システムにおいて着信が通話である場合の動作を示すシーケンス図である。手順Ｔ２０１〜Ｔ２０４は前述した手順Ｔ１０１〜Ｔ１０４と同じである。手順Ｔ２０４において、通信端末装置４０４でＣＮＧ検出が行われ、その音声がＦＡＸではなく通話と判断された場合、通信端末装置４０４は、無線ＬＡＮモード付き携帯電話機４０５の登録状況を確認する（Ｔ２０５）。すなわち、通信端末装置４０４は、無線ＬＡＮモード付き携帯電話機４０５のパスワードとＩＰアドレス（パスワード：ｂｂ、ＩＰアドレス：１９２．１６８．０．２１）を用いて、レジスト済み確認のための空レジスタ（ＲＥＧＩＳＴＥＲ）を発行して確認する。この手順Ｔ２０５において、無線ＬＡＮモード付き携帯電話機４０５の存在（ｐｉｎｇ応答等）を確認し、携帯電話機４０５から“２００  ＯＫ”が返ってこないことで、携帯電話機４０５はＬＡＮ上にあるがレジストされていないことがわかる。
【００４８】
通信端末装置４０４は、この無線ＬＡＮモード付き携帯電話機４０５のパスワードとＩＰアドレスを用いて、通信端末装置４０４が無線ＬＡＮモード付き携帯電話機４０５に代わってレジストする（Ｔ２０６）。これにより、この無線ＬＡＮモード付き携帯電話機４０５は着信受付け可能な状態になる。
【００４９】
これが確認されると、通信端末装置４０４は通話呼を無線ＬＡＮモード付き携帯電話機４０５に転送する。すなわち、通信端末装置４０４は新規呼接続要求“ＩＮＶＩＴＥ”を送出する（Ｔ２０７）。そして、無線ＬＡＮモード付き携帯電話機４０５に新規呼接続要求“ＩＮＶＩＴＥ”が来ると、無線ＬＡＮモード付き携帯電話機４０５は着呼する（Ｔ２０８）。その後、ＳＩＰの手順に従って、通信端末装置４０４と無線ＬＡＮモード付き携帯電話機４０５の間で呼が確立する（Ｔ２０９）。
【００５０】
これにより、ＳＩＰサーバ４０２を介して、通信相手機４０１と通信端末装置４０４と無線ＬＡＮモード付き携帯電話機４０５との間で、データが転送される（Ｔ２１０）。すなわち、データ通信“Ｍｅｄｉａ  Ｓｅｓｓｉｏｎ”が通信相手機４０１と通信端末装置４０４と無線ＬＡＮモード付き携帯電話機４０５との間で行われ、このデータ通信終了後に通信相手機４０１からセッション終了要求“ＢＹＥ”が送出される。
【００５１】
これを受け取った通信端末装置４０４から“２００  ＯＫ”が返答されることで、通信相手機４０１と通信端末装置４０４との間のセッションは終了する。また、通信端末装置４０４からセッション終了要求“ＢＹＥ”が送出され、これを受け取った無線ＬＡＮモード付き携帯電話機４０５から“２００  ＯＫ”が返答されることで、通信端末装置４０４と携帯電話機４０５との間のセッションも終了する。
【００５２】
この通話終了を確認すると（Ｔ２１１）、通信端末装置４０４は、携帯電話機４０５のパスワードとＩＰアドレスを用いて、携帯電話機４０５に代わってアンレジスト（登録抹消）する（Ｔ２１２）。
【００５３】
図７および図８は着信が通話である場合の通信端末装置の着信動作手順を示すフローチャートである。通信端末装置４０４は、通信相手機４０１から宅内ルータ／スイッチ／ＳＩＰレジストラサーバ４０２を介して代表電話番号で宅内のＩＰ化固定電話網に着信があるまで待つ（ステップＳ２１）。ＳＩＰレジストラサーバ４０２にレジスト済みの通信端末装置４０４は、着信があり、通信相手機４０１から新規呼接続要求“ＩＮＶＩＴＥ”が来ると（ステップＳ２２）、着呼する（ステップＳ２３）。
【００５４】
通信端末装置４０４は、ＳＩＰの手順に従って、通信相手機４０１との間で呼を確立する（ステップＳ２４）。通信端末装置４０４は、ＣＮＧ検出を行い、その音声が通話かＦＡＸかを判断する（ステップＳ２５）。このステップＳ２５の処理は音声判断手段の一例である。通信端末装置４０４は、ＦＡＸの場合、ＦＡＸ時の処理を行う（ステップＳ２６）。この後、通信端末装置４０４は本処理を終了する。
【００５５】
一方、ステップＳ２５で通話であると判断された場合、通信端末装置４０４は、無線ＬＡＮモード付き携帯電話機４０５の未登録状態を確認する（ステップＳ２７）。このとき、携帯電話機４０５が登録状態である場合、通信端末装置４０４はステップＳ２９の処理に進む。
【００５６】
通信端末装置４０４は、携帯電話機４０５がＬＡＮ上にあるがレジストされていないことを知ると、携帯電話機４０５のパスワードとＩＰアドレスを用いて、無線ＬＡＮモード付き携帯電話機４０５に代わってレジスト（代理レジスト）する（ステップＳ２８）。これにより、この無線ＬＡＮモード付き携帯電話機４０５は着信受付け可能な状態になる。なお、ステップＳ２７の処理は存在確認手段および登録状況確認手段の一例である。また、ステップＳ２８の処理は登録変更手段の一例である。
【００５７】
通信端末装置４０４は、携帯電話機４０５が着信受付け可能な状態にあることを確認すると、通話呼を無線ＬＡＮモード付き携帯電話機４０５に転送する。すなわち、通信端末装置４０４は新規呼接続要求“ＩＮＶＩＴＥ”を送出する（ステップＳ２９）。
【００５８】
無線ＬＡＮモード付き携帯電話機４０５が着呼すると、通信端末装置４０４は、無線ＬＡＮモード付き携帯電話機４０５との間で呼を確立する（ステップＳ３０）。
【００５９】
そして、通信端末装置４０４は、ＳＩＰサーバ４０２を介して、通信相手機４０１と無線ＬＡＮモード付き携帯電話機４０５との間で、データ転送を行う（ステップＳ３１）。
【００６０】
通信端末装置４０４は、このデータ転送による通話が終了するまでステップＳ３１以降の処理を繰り返す（ステップＳ３２）。そして、通話終了を確認すると、通信端末装置４０４は、携帯電話機４０５のパスワードとＩＰアドレスを用いて、携帯電話機４０５に代わってアンレジスト（代理アンレジスト）する（ステップＳ３３）。この後、通信端末装置４０４は本処理を終了する。
【００６１】
このように、第１の実施形態の通信システムでは、通信端末装置がレジスト済みであって携帯電話機がレジストされていない状況において、アナログ電話から宅内のＩＰ化固定電話網に着信した時、通信端末装置が着呼を行い、音声が通話かＦＡＸかを判断する。
【００６２】
ＦＡＸではなく通話と判断された場合、通信端末装置は、無線ＬＡＮモード付き携帯電話機の登録状況を確認する（レジスト済み端末確認のため空レジスタ発行）。無線ＬＡＮモード付き携帯電話機の存在（ｐｉｎｇ応答など）を確認すると、通信端末装置は、この無線ＬＡＮモード付き携帯電話機のパスワードとＩＰアドレスを用いて、無線ＬＡＮモード付き携帯電話機に代わってレジストする。
【００６３】
無線ＬＡＮモード付き携帯電話機は着信受付け可能な状態になる。通信端末装置は、これを確認すると、通信相手機からの通話呼を無線ＬＡＮモード付き携帯電話機に転送する。
【００６４】
その後、通信端末装置は、無線ＬＡＮモード付き携帯電話機の通話が終了したことによるセッション（プレゼンス状況）を確認すると、この携帯電話機のパスワードとＩＰアドレスを用いて、無線ＬＡＮモード付き携帯電話機に代わってアンレジストする。
【００６５】
これにより、通話呼の場合にのみ無線ＬＡＮモード付き携帯電話機を鳴動させることができるようになる。つまり、この無駄な鳴動によるデータ着信呼を携帯電話機で誤って取ることを防止することができる。このように、通信端末装置が主体となって携帯電話機のＳＩＰレジストラサーバへの登録状況を変更することができる。また、通話呼の場合にのみ携帯電話機を鳴動させ、通信端末装置を介した通話の転送が可能となる。また、通信端末装置が携帯電話機に代わって登録を抹消するので、通話後も無線ＬＡＮモード付き携帯電話機を鳴動させないようにすることができる。
【００６６】
［第２の実施形態］
図９および図１０は第２の実施形態の通信システムにおいて着信が通話である場合の動作を示すシーケンス図である。第２の実施形態の通信システムの構成は前記第１の実施形態（図１参照）と同じであるので、その説明を省略する。また、第２の実施形態では、ＩＰ網からの着信時、前記第１の実施形態と同様、通信端末装置４０４がレジスト済み状態にあり、無線ＬＡＮモード付き携帯電話機４０５はレジストされていない状態にあるものとする。
【００６７】
この状況において、通信相手機４０１から宅内ルータ／スイッチ／ＳＩＰレジストラサーバ４０２を介して、代表電話番号（０３−××××−××××）で宅内のＩＰ化固定電話網に着信がある（Ｔ３０１）。そして、通信相手機４０１から、ＳＩＰレジストラサーバ４０２にレジスト済みの通信端末装置４０４に対して新規呼接続要求“ＩＮＶＩＴＥ”が来ると（Ｔ３０２）、通信端末装置４０４が着呼する。
【００６８】
その後、ＳＩＰの手順に従って、通信相手機４０１と通信端末装置４０４の間で呼が確立する（Ｔ３０３）。
【００６９】
通信端末装置４０４でＣＮＧ検出が行われ、その音声が通話かＦＡＸかが判断される（Ｔ３０４）。ＦＡＸと判断された場合、通信端末装置４０４で受信が行われる。すなわち、前記第１の実施形態と同様、データ通信“Ｍｅｄｉａ  Ｓｅｓｓｉｏｎ”が行われ、このデータ通信終了後に通信相手機４０１からセッション終了要求“ＢＹＥ”が送出される。これを受け取った通信端末装置４０４から“２００  ＯＫ”が返答されることで、このセッションは終了する。なお、図９には、ＦＡＸである場合の手順が省略されている。
【００７０】
一方、ＦＡＸではなく通話と判断された場合、通信端末装置４０４は無線ＬＡＮモード付き携帯電話機４０５の未登録状態を確認する（Ｔ３０５）。この確認では、通信端末装置４０４から、無線ＬＡＮモード付き携帯電話機４０５のパスワードとＩＰアドレス（パスワード：ｂｂ、ＩＰアドレス：１９２．１６８．０．２１）を用いた、レジスト済み確認のための空レジスタ（ＲＥＧＩＳＴＥＲ）が発行される。
【００７１】
ｐｉｎｇ応答等により無線ＬＡＮモード付き携帯電話機４０５の存在が確認され、携帯電話機４０５から“２００  ＯＫ”が返ってこないことで、携帯電話機４０５がＬＡＮ上にあるがレジストされていないことがわかる。
【００７２】
通信端末装置４０４は、携帯電話機４０５のパスワードとＩＰアドレス（パスワード：ｂｂ、ＩＰアドレス：１９２．１６８．０．２１）を用いて、無線ＬＡＮモード付き携帯電話機４０５に代わってレジストする（Ｔ３０６）。これにより、無線ＬＡＮモード付き携帯電話機４０５は着信受付け可能になる。
【００７３】
これが確認されると、通信端末装置４０４は、通話の保留と保留解除を用いて、通信相手機４０１からの通話呼を無線ＬＡＮモード付き携帯電話機４０５に転送する。通信端末装置４０４は、保留するべく通信相手機４０１に対して“ＩＮＶＩＴＥ”を送出し、この応答として、通信相手機４０１から“２００  ＯＫ”が応答され、これに対して通信端末装置４０４から“ＡＣＫ”が送出されると、保留が成功する（Ｔ３０７）。
【００７４】
通信端末装置４０４から無線ＬＡＮモード付き携帯電話機４０５に対して新規呼接続要求“ＩＮＶＩＴＥ”が来ると（Ｔ３０８）、無線ＬＡＮモード付き携帯電話機４０５が着呼する。
【００７５】
その後、ＳＩＰの手順に従って、通信端末装置４０４と無線ＬＡＮモード付き携帯電話機４０５との間で呼が確立する（Ｔ３０９）。そして、通信端末装置４０４は、保留するべく無線ＬＡＮモード付き携帯電話機４０５に対して“ＩＮＶＩＴＥ”を送出する。この応答として、無線ＬＡＮモード付き携帯電話機４０５から“２００  ＯＫ”が応答され、これに対して通信端末装置４０４から“ＡＣＫ”が送出されると、保留が成功する（Ｔ３１０）。
【００７６】
こうして双方の通話呼が保留状態になり、次に転送が行われる。すなわち、通信端末装置４０４から通信相手機４０１に対し、“ＲＥＦＥＲ”が送出され、転送指示が行われる。
【００７７】
この応答として、通信相手機４０１から“Ａｃｃｅｐｔｅｄ”および“ＮＯＴＩＦＹ”が応答されると、転送処理が開始する（Ｔ３１１）。
【００７８】
そして、通信相手機４０１から無線ＬＡＮモード付き携帯電話機４０５に対して新規呼接続要求“ＩＮＶＩＴＥ”が来ると（Ｔ３１２）、無線ＬＡＮモード付き携帯電話機４０５が着呼する。その後、ＳＩＰの手順に従って、通信相手機４０１と無線ＬＡＮモード付き携帯電話機４０５との間で呼が確立する（Ｔ３１３）。ＳＩＰサーバを介して、通信端末装置４０４から無線ＬＡＮモード付き携帯電話機４０５へ通話呼が転送される。
【００７９】
一方、通話呼の終了に際し、保留した２つの呼の切断が必要である。すなわち、無線ＬＡＮモード付き携帯電話機４０５からセッション終了要求“ＢＹＥ”が送出され、これを受け取った通信端末装置４０４から“２００  ＯＫ”が返答される。これにより、無線ＬＡＮモード付き携帯電話機４０５と通信端末装置４０４との間の保留呼は切断される（Ｔ３１４）。
【００８０】
その後、通信相手機４０１から通信端末装置４０４に対し、“ＮＯＴＩＦＹ”が送出され、これを受け取った通信端末装置４０４から“２００  ＯＫ”が返答されると、転送成功が通知される（Ｔ３１５）。
【００８１】
さらに、通信端末装置４０４からセッション終了要求“ＢＹＥ”が送出され、これを受け取った通信相手機４０１から“２００  ＯＫ”が返答されると、通信相手機４０１と通信端末装置４０４との間の保留呼は切断される（Ｔ３１６）。
【００８２】
こうして、通信相手機４０１からの通話呼が無線ＬＡＮモード付き携帯電話機４０５に転送される。
【００８３】
その後、データ通信“Ｍｅｄｉａ  Ｓｅｓｓｉｏｎ”が通信相手機４０１と無線ＬＡＮモード付き携帯電話機４０５との間で行われる。このデータ通信終了後、通信相手機４０１からセッション終了要求“ＢＹＥ”が送出され、これを受け取った無線ＬＡＮモード付き携帯電話機４０５から“２００  ＯＫ”が返答される。これにより、通信相手機４０１と無線ＬＡＮモード付き携帯電話機４０５の間のセッションは終了する。
【００８４】
この通話終了を確認すると（Ｔ３１７）、通信端末装置４０４は、無線ＬＡＮモード付き携帯電話機４０５に代わってアンレジスト（登録抹消）する（Ｔ３１８）。このアンレジストでは、無線ＬＡＮモード付き携帯電話機４０５のパスワードとＩＰアドレス（パスワード：ｂｂ、ＩＰアドレス：１９２．１６８．０．２１）が用いられる。
【００８５】
図１１および図１２は着信が通話である場合の通信端末装置の着信動作手順を示すフローチャートである。通信端末装置４０４は、通信相手機４０１から宅内ルータ／スイッチ／ＳＩＰレジストラサーバ４０２を介して代表電話番号で宅内のＩＰ化固定電話網に着信があるまで待つ（ステップＳ５１）。ＳＩＰレジストラサーバ４０２にレジスト済みの通信端末装置４０４は、着信があり、通信相手機４０１から新規呼接続要求“ＩＮＶＩＴＥ”が来ると（ステップＳ５２）、着呼する（ステップＳ５３）。
【００８６】
通信端末装置４０４は、ＳＩＰの手順に従って、通信相手機４０１との間で呼を確立する（ステップＳ５４）。通信端末装置４０４は、ＣＮＧ検出を行い、その音声が通話かＦＡＸかを判断する（ステップＳ５５）。通信端末装置４０４は、ＦＡＸの場合、ＦＡＸ時の処理を行う（ステップＳ５６）。この後、通信端末装置４０４は本処理を終了する。
【００８７】
一方、ステップＳ５５で通話である場合、通信端末装置４０４は、無線ＬＡＮモード付き携帯電話機４０５の未登録状態を確認する（ステップＳ５７）。このとき、携帯電話機４０５が登録状態である場合、通信端末装置４０４はステップＳ５９の処理に進む。
【００８８】
通信端末装置４０４は、携帯電話機４０５がＬＡＮ上にあるがレジストされていないことを知ると、携帯電話機４０５のパスワードとＩＰアドレスを用いて、無線ＬＡＮモード付き携帯電話機４０５に代わってレジストする（ステップＳ５８）。これにより、この無線ＬＡＮモード付き携帯電話機４０５は着信受付け可能な状態になる。
【００８９】
通信端末装置４０４は、通信相手機４０１に対して“ＩＮＶＩＴＥ”を送出し、通信相手機４０１を保留する（ステップＳ５９）。さらに、通信端末装置４０４は、無線ＬＡＮモード付き携帯電話機４０５に対し、新規呼接続要求“ＩＮＶＩＴＥ”を発行する（ステップＳ６０）。これにより、無線ＬＡＮモード付き携帯電話機４０５が着呼する。
【００９０】
通信端末装置４０４は、ＳＩＰの手順に従って、無線ＬＡＮモード付き携帯電話機４０５との間で呼を確立する（ステップＳ６１）。
【００９１】
通信端末装置４０４は、無線ＬＡＮモード付き携帯電話機４０５に対し、“ＩＮＶＩＴＥ”を送出し、携帯電話機４０５を保留する（ステップＳ６２）。
【００９２】
こうして双方の通話呼が保留状態になると、通信端末装置４０４は、通信相手機４０１に対し、“ＲＥＦＥＲ”を送出し、転送指示を行う（ステップＳ６３）。
【００９３】
その後、ＳＩＰの手順に従って、通信相手機４０１と無線ＬＡＮモード付き携帯電話機４０５との間で呼が確立すると、通信端末装置４０４は、ＳＩＰサーバを介して、無線ＬＡＮモード付き携帯電話機４０５に通話呼を転送する（ステップＳ６４）。
【００９４】
通信端末装置４０４は、無線ＬＡＮモード付き携帯電話機４０５が保留呼を切断するのを待つ（ステップＳ６５）。この保留呼が切断されると、通信端末装置４０４は、通信相手機４０１から通信端末装置４０４に転送成功が通知されるのを待つ（ステップＳ６６）。
【００９５】
転送成功が通知されると、通信端末装置４０４は、通信相手機４０１と間の保留呼を切断する（ステップＳ６７）。
【００９６】
通信端末装置４０４は、このデータ転送による通話が終了するまで待つ（ステップＳ６８）。そして、通話終了を確認すると、通信端末装置４０４は、携帯電話機４０５のパスワードとＩＰアドレスを用いて、携帯電話機４０５に代わってアンレジスト（登録抹消）する（ステップＳ６９）。この後、通信端末装置４０４は本処理を終了する。
【００９７】
このように、第２の実施形態の通信システムでは、アナログ電話から宅内のＩＰ化固定電話網に着信した時、通信端末装置が着呼を行い、音声が通話かＦＡＸかを判断する。
【００９８】
ＦＡＸではなく通話と判断された場合、通信端末装置は無線ＬＡＮモード付き携帯電話機の登録状況を確認する。この確認では、レジスト済み端末確認のため、空レジスタ（ＲＥＧＩＳＴＥＲ）が発行される。
【００９９】
通信端末装置は、無線ＬＡＮモード付き携帯電話機の存在（ｐｉｎｇ応答など）を確認すると、この無線ＬＡＮモード付き携帯電話機のパスワードとＩＰアドレスを用いて、通信端末装置が無線ＬＡＮモード付き携帯電話機に代わってレジストする。これにより、無線ＬＡＮモード付き携帯電話機が着信受付け可能になる。
【０１００】
これが確認されると、通信端末装置は、通信相手機との呼を保留し、さらに通信端末装置から無線ＬＡＮモード付き携帯電話機との呼を確立した後、携帯電話機との呼を保留する。双方の呼が保留されると、通信端末装置から無線ＬＡＮモード付き携帯電話機に転送が開始される。続いて、通信端末装置と無線ＬＡＮモード付き携帯電話機との間の保留呼および通信相手機と通信端末装置間との保留呼が切断される。
【０１０１】
その後、通信端末装置は、無線ＬＡＮモード付き携帯電話機の通話が終了したことによるセッション（プレゼンス状況）を確認する。そして、通信端末装置は、この無線ＬＡＮモード付き携帯電話機のパスワードとＩＰアドレスを用いて、無線ＬＡＮモード付き携帯電話機に代わってアンレジストする。
【０１０２】
これにより、通話呼の場合にのみ無線ＬＡＮモード付き携帯電話機を鳴動させることができるようになる。さらに、この無駄な鳴動によるデータ着信呼を携帯電話機で誤って取ることも防止できようになる。このように、通話の転送時、呼の保留と保留解除を用いた転送が可能である。音声が通話であってもファクシミリ信号であっても確実に通信可能なシステムを構築できるようになる。
【０１０３】
［第３の実施形態］
図１３および図１４は第３の実施形態の通信システムにおいて着信が通話である場合の動作を示すシーケンス図である。第３の実施形態の通信システムの構成は前記第１の実施形態（図１参照）と同じであるので、その説明を省略する。また、第３の実施形態では、ＩＰ網からの着信時、通信端末装置４０４および無線ＬＡＮモード付き携帯電話機４０５のいずれもレジスト済み（登録済み）状態にあるものとする。
【０１０４】
この状況において、通信相手機４０１から宅内ルータ／スイッチ／ＳＩＰレジストラサーバ４０２を介して、代表電話番号（０３−××××−××××）で宅内のＩＰ化固定電話網に着信がある（Ｔ４０１）。そして、通信相手機４０１から、ＳＩＰレジストラサーバ４０２にレジスト済みの通信端末装置４０４に対して新規呼接続要求“ＩＮＶＩＴＥ”が来ると（Ｔ４０２）、通信端末装置４０４が着呼する。
【０１０５】
その後、ＳＩＰの手順に従って、通信相手機４０１と通信端末装置４０４との間で呼が確立する（Ｔ４０３）。
【０１０６】
通信端末装置４０４でＣＮＧ検出が行われ、その音声が通話かＦＡＸかが判断される（Ｔ４０４）。ＦＡＸと判断された場合、通信端末装置４０４で受信が行われる。すなわち、前記第１の実施形態と同様、データ通信“Ｍｅｄｉａ  Ｓｅｓｓｉｏｎ”が行われ、このデータ通信終了後に通信相手機４０１からセッション終了要求“ＢＹＥ”が送出される。これを受け取った通信端末装置４０４から“２００  ＯＫ”が返答されることで、このセッションは終了する。なお、図１３には、ＦＡＸである場合の手順が省略されている。
【０１０７】
一方、ＦＡＸではなく通話と判断された場合、ＳＩＰサーバが、通信端末装置４０４を中心とした通話の保留と保留解除を用いて、通信相手機４０１からの通話呼を無線ＬＡＮモード付き携帯電話機４０５に転送する準備（転送準備）を行う。通信端末装置４０４は、保留するべく通信相手機４０１に対して“ＩＮＶＩＴＥ”を送出し、この応答として、通信相手機４０１から“２００  ＯＫ”が応答され、これに対して通信端末装置４０４から“ＡＣＫ”が送出されると、保留が成功する（Ｔ４０５）。
【０１０８】
通信端末装置４０４から無線ＬＡＮモード付き携帯電話機４０５に対して新規呼接続要求“ＩＮＶＩＴＥ”が来ると（Ｔ４０６）、無線ＬＡＮモード付き携帯電話機４０５が着呼する。
【０１０９】
その後、ＳＩＰの手順に従って、通信端末装置４０４と無線ＬＡＮモード付き携帯電話機４０５の間で呼が確立する（Ｔ４０７）。そして、通信端末装置４０４は、保留するべく無線ＬＡＮモード付き携帯電話機４０５に対して“ＩＮＶＩＴＥ”を送出する。この応答として、無線ＬＡＮモード付き携帯電話機４０５から“２００  ＯＫ”が応答され、これに対して通信端末装置４０４から“ＡＣＫ”が送出されると、保留が成功する（Ｔ４０８）。
【０１１０】
こうして双方の通話呼が保留状態になり、次に転送が行われる。すなわち、通信端末装置４０４から通信相手機４０１に対し、“ＲＥＦＥＲ”が送出され、転送指示が行われる。
【０１１１】
この応答として、通信相手機４０１から“Ａｃｃｅｐｔｅｄ”および“ＮＯＴＩＦＹ”が応答されると、転送処理が開始する（Ｔ４０９）。
【０１１２】
そして、通信相手機４０１から無線ＬＡＮモード付き携帯電話機４０５に対して新規呼接続要求“ＩＮＶＩＴＥ”が来ると（Ｔ４１０）、無線ＬＡＮモード付き携帯電話機４０５が着呼する。その後、ＳＩＰの手順に従って、通信相手機４０１と無線ＬＡＮモード付き携帯電話機４０５との間で呼が確立する（Ｔ４１１）。ＳＩＰサーバを介して、通信端末装置４０４から無線ＬＡＮモード付き携帯電話機４０５へ通話呼が転送される。
【０１１３】
一方、通話呼の終了に際し、保留した２つの呼の切断が必要である。すなわち、無線ＬＡＮモード付き携帯電話機４０５からセッション終了要求“ＢＹＥ”が送出され、これを受け取った通信端末装置４０４から“２００  ＯＫ”が返答される。これにより、無線ＬＡＮモード付き携帯電話機４０５と通信端末装置４０４との間の保留呼は切断される（Ｔ４１２）。
【０１１４】
その後、通信相手機４０１から通信端末装置４０４に対し、“ＮＯＴＩＦＹ”が送出され、これを受け取った通信端末装置４０４から“２００  ＯＫ”が返答されると、転送成功が通知される（Ｔ４１３）。
【０１１５】
さらに、通信端末装置４０４からセッション終了要求“ＢＹＥ”が送出され、これを受け取った通信相手機４０１から“２００  ＯＫ”が返答されると、通信相手機４０１と通信端末装置４０４の間の保留呼は切断される（Ｔ４１４）。
【０１１６】
こうして、通信相手機４０１からの通話呼が無線ＬＡＮモード付き携帯電話機４０５に転送される。
【０１１７】
その後、データ通信“Ｍｅｄｉａ  Ｓｅｓｓｉｏｎ”が通信相手機４０１と無線ＬＡＮモード付き携帯電話機４０５との間で行われる。このデータ通信終了後、通信相手機４０１からセッション終了要求“ＢＹＥ”が送出され、これを受け取った無線ＬＡＮモード付き携帯電話機４０５から“２００  ＯＫ”が返答される。これにより、通信相手機４０１と無線ＬＡＮモード付き携帯電話機４０５の間のセッションは終了する。
【０１１８】
この通話終了を確認すると（Ｔ４１５）、通信端末装置４０４は、無線ＬＡＮモード付き携帯電話機４０５に代わってアンレジスト（登録抹消）する（Ｔ４１６）。このアンレジストでは、無線ＬＡＮモード付き携帯電話機４０５のパスワードとＩＰアドレス（パスワード：ｂｂ、ＩＰアドレス：１９２．１６８．０．２１）が用いられる。
【０１１９】
図１５および図１６は着信が通話である場合の通信端末装置の着信動作手順を示すフローチャートである。通信端末装置４０４は、通信相手機４０１から宅内ルータ／スイッチ／ＳＩＰレジストラサーバ４０２を介して代表電話番号で宅内のＩＰ化固定電話網に着信があるまで待つ（ステップＳ７１）。ＳＩＰレジストラサーバ４０２にレジスト済みの通信端末装置４０４は、着信があり、通信相手機４０１から新規呼接続要求“ＩＮＶＩＴＥ”が来ると（ステップＳ７２）、着呼する（ステップＳ７３）。
【０１２０】
通信端末装置４０４は、ＳＩＰの手順に従って、通信相手機４０１との間で呼を確立する（ステップＳ７４）。通信端末装置４０４は、ＣＮＧ検出を行い、その音声が通話かＦＡＸかを判断する（ステップＳ７５）。通信端末装置４０４は、ＦＡＸの場合、ＦＡＸ時の処理を行う（ステップＳ７６）。この後、通信端末装置４０４は本処理を終了する。
【０１２１】
一方、ステップＳ７５で通話である場合、通信端末装置４０４は、ＳＩＰサーバが、通信端末装置４０４を中心とした通話の保留と保留解除を用いて、通信相手機４０１からの通話呼を携帯電話機４０５に転送する準備を行うのを待つ（ステップＳ７７）。そして、転送する準備が行われると、通信端末装置４０４は、通信相手機４０１に対して“ＩＮＶＩＴＥ”を送出し、通信相手機４０１を保留する（ステップＳ７８）。
【０１２２】
さらに、通信端末装置４０４は、無線ＬＡＮモード付き携帯電話機４０５に対し、新規呼接続要求“ＩＮＶＩＴＥ”を発行する（ステップＳ７９）。これにより、無線ＬＡＮモード付き携帯電話機４０５が着呼する。
【０１２３】
通信端末装置４０４は、ＳＩＰの手順に従って、無線ＬＡＮモード付き携帯電話機４０５との間で呼を確立する（ステップＳ８０）。
【０１２４】
通信端末装置４０４は、無線ＬＡＮモード付き携帯電話機４０５に対し、“ＩＮＶＩＴＥ”を送出し、携帯電話機４０５を保留する（ステップＳ８１）。
【０１２５】
こうして双方の通話呼が保留状態になると、通信端末装置４０４は、通信相手機４０１に対し、“ＲＥＦＥＲ”を送出し、転送指示を行う（ステップＳ８２）。
【０１２６】
その後、ＳＩＰの手順に従って、通信相手機４０１と無線ＬＡＮモード付き携帯電話機４０５との間で呼が確立すると、通信端末装置４０４は、ＳＩＰサーバを介して、無線ＬＡＮモード付き携帯電話機４０５に通話呼を転送する（ステップＳ８３）。
【０１２７】
通信端末装置４０４は、無線ＬＡＮモード付き携帯電話機４０５が保留呼を切断するのを待つ（ステップＳ８４）。この保留呼が切断されると、通信端末装置４０４は通信相手機４０１から転送成功が通知されるのを待つ（ステップＳ８５）。転送成功が通知されると、通信端末装置４０４は、通信相手機４０１と間の保留呼を切断する（ステップＳ８６）。
【０１２８】
通信端末装置４０４は、このデータ転送による通話が終了するまで待つ（ステップＳ８７）。そして、通話終了を確認すると、通信端末装置４０４は、携帯電話機４０５のパスワードとＩＰアドレスを用いて、携帯電話機４０５に代わってアンレジスト（登録抹消）する（ステップＳ８８）。この後、通信端末装置４０４は本処理を終了する。
【０１２９】
このように、第３の実施形態の通信システムでは、通信端末装置がレジスト済みであって携帯電話機もレジスト済みの状況において、アナログ電話から宅内のＩＰ化固定電話網に着信した時、まず通信端末装置が着呼を行い、音声が通話かＦＡＸかを判断する。
【０１３０】
ＦＡＸではなく通話と判断された場合、ＳＩＰサーバが、通信端末装置を中心とした通話の保留と保留解除を用いて、通信相手機からの通話呼を無線ＬＡＮモード付き携帯電話機に転送する準備を行う。
【０１３１】
その後、通信端末装置は、通信相手機との呼を保留し、さらに通信端末装置から無線ＬＡＮモード付き携帯電話機との呼を確立した後、これを保留する。双方の呼が保留されると、通信端末装置から無線ＬＡＮモード付き携帯電話機に転送が開始される。
【０１３２】
続いて、通信端末装置と無線ＬＡＮモード付き携帯電話機間の保留呼および通信相手機と通信端末装置間の保留呼が切断される。
【０１３３】
その後、通信端末装置は、無線ＬＡＮモード付き携帯電話機の通話が終了したことのセッション（プレゼンス状況）を確認し、この携帯電話機のパスワードとＩＰアドレスを用いて、無線ＬＡＮモード付き携帯電話機に代わってアンレジストする。
【０１３４】
これにより、通話呼の場合にのみ無線ＬＡＮモード付き携帯電話機を鳴動させることができるようになる。さらに、この無駄な鳴動によるデータ着信呼を携帯電話機で誤って取ることも防止できようになる。このように、転送時の呼の保留と保留解除を、ＳＩＰレジストラサーバ主導で行うことが可能である。また、携帯電話機が先に着信した場合でも、保留転送を行うことが可能となる。
【０１３５】
［第４の実施形態］
前記第１の実施形態から第３の実施形態までの通信システムでは、通信端末装置が着信時にＣＮＧ検出を行い、ＦＡＸだった場合、そのまま通信端末装置が受信を行った。一方、通話だった場合、通信端末装置は、レジスト済み端末確認のために空レジスタを発行し、かつＰＩＮＧ応答等でこの端末の存在を確認すると、代理でレジスト（登録）した。
【０１３６】
第４の実施形態の通信システムでは、通信機能を有しない端末（例えば、無線ＬＡＮモード付き携帯電話機４０５）が先に着信してＣＮＧ判断を行う場合を示す。第４の実施形態の通信システムの構成は前記第１の実施形態（図１参照）と同じであるので、その説明を省略する。
【０１３７】
通信相手機４０１から宅内ルータ／スイッチ／ＳＩＰレジストラサーバ４０２を介して、代表電話番号で宅内のＩＰ化固定電話網に着信した時、まず、ＳＩＰレジストラサーバにレジスト済みの無線ＬＡＮモード付き携帯電話機４０５が着呼を行う。そして、携帯電話機４０５はその音声が通話かＦＡＸかを判断（ＣＮＧ検出）する。通話だった場合、無線ＬＡＮモード付き携帯電話機４０５はそのまま受信して通話する。一方、通話ではなくＦＡＸ（通話以外）であると判断した場合、ユーザは無線ＬＡＮモード付き携帯電話機４０５で転送操作を行う。
【０１３８】
すなわち、無線ＬＡＮモード付き携帯電話機４０５からのユーザの転送操作がなされると、無線ＬＡＮモード付き携帯電話機４０５が通信端末装置４０４の未登録状態と存在を確認する。通信端末装置４０４がＬＡＮ上に存在するがレジストされていない場合、無線ＬＡＮモード付き携帯電話機４０５は、通信端末装置４０４のパスワードとＩＰアドレスを用いて代理レジストする。これにより、通信端末装置４０４は着信受付け可能となる。呼出し信号が転送されると、ＦＡＸ通信が転送できるようになる。
【０１３９】
第４の実施形態の通信システムでは、無線ＬＡＮモード付き携帯電話機が、先に着信した後、ＣＮＧ検出を行って音声を判断する。音声がＦＡＸであった場合、ユーザが通信端末装置に転送できるようになる。従って、音声が通話であってもＦＡＸであっても確実に通信可能なシステムが構築できるようになる。このように、通話呼の場合にのみ携帯電話機を鳴動させることができる。さらに、携帯電話機が主体となって通信端末装置のＳＩＰレジストラサーバへの登録状況を変更することができる。
【０１４０】
なお、無線ＬＡＮモード付き携帯電話機が先に着信した場合においても、前記第２、第３の実施形態と同様、保留転送を行うことも可能である。
【０１４１】
［第５の実施形態］
前記第１〜第３の実施形態では、着呼を一旦、通信端末装置が受け取り、通信端末装置内で呼がＦＡＸ信号か通話なのかを判断し、その結果に基づき、通話端末（上記各実施形態では、無線ＬＡＮモード付き携帯電話機）の登録状況を変更するものであった。第５の実施形態では、通信端末装置の設定状態によって、通話端末の登録状況を変更する場合を示す。
【０１４２】
第５の実施形態の通信システムの構成は、前記第１の実施形態（図１参照）と同じであるので、その説明を省略する。ただし、第５の実施形態の通信端末装置４０４は、外付けで電話（子電話）やハンドセットが取り付け可能である。すなわち、この通信端末装置４０４は、通常、ファクシミリなどのデータ通信と通話との両方を行える。そして、データ通信、通話などの切り替えのため、通常いくつかの受信モードの設定が可能である。
【０１４３】
通信端末装置４０４であるデジタル複合機２０２の操作パネル部２０８には、各種の設定画面が表示される。まず、操作パネル部２０８のスタート画面（図示せず）でユーザモードキーが押下されると、ユーザモード画面が開く。図１７はユーザモード画面を示す図である。このユーザモード選択画面は、機器共通の仕様設定や、様々な機器固有の機能の仕様設定を行う画面である。本発明は機器のデータ通信に関するものであるので、図１７では、「送信／受信仕様設定」ボタン５１１が押下されている。
【０１４４】
「送信／受信仕様設定」ボタン５１１が押下されると、操作パネル部２０８の画面は送信／受信仕様設定画面に遷移する。図１８は送信／受信仕様設定画面を示す図である。この送信／受信仕様設定画面では、「送信仕様設定」あるいは「受信仕様設定」の選択が行われる。図１８の画面では、「受信仕様設定」ボタン５２２が押されている状態が示されている。
【０１４５】
「受信仕様設定」ボタン５２２が押されると、操作パネル部２０８の画面は受信仕様設定画面に遷移する。図１９は受信仕様設定画面を示す図である。ここでは、受信モードとして、「自動受信」、「ファクス／電話切替」、「手動受信」の３つのモードから１つを選択することができる。ここでは、「自動受信」ボタン５３３が選択された場合を示す。
【０１４６】
「自動受信」ボタン５３３が押下されると、操作パネル部２０８の画面は自動受信仕様設定画面に遷移する。図２０は自動受信仕様設定画面を示す図である。この自動受信仕様設定画面は自動受信モードの詳細を設定するものである。自動受信仕様設定画面の中には、着信鳴動「する」、「しない」の設定がある。着信鳴動「する」ボタン５４４が選択された場合、更に着信鳴動回数を設定することができる。一方、着信鳴動「しない」ボタン５４５が選択された場合、着信鳴動回数の設定は無効となる。
【０１４７】
なお、受信仕様設定画面では、上記３つのモードの選択の他に、子電話として留守番電話を接続するモードなどを有する機種もあるが、ここではその説明を省略する。また、それぞれの画面の右下には「閉じる」ボタン５１６、５２６、５３６、５４６が用意されており、このボタンを押下することで、それぞれの上位画面へ操作パネル部２０８の画面は遷移する。
【０１４８】
つぎに、各受信設定について簡単に説明する。「自動受信」モードの設定は、着信した場合、データ通信を優先させて自動的にファクス受信に入るモードの設定である。このモードの設定には、着信鳴動「する」、「しない」の設定がある。この設定は、着信時に通信端末装置４０４に接続されている子電話やハンドセットを鳴動させるか否かの設定である。
【０１４９】
着信鳴動「する」に設定した場合、その下で設定された着信鳴動回数分、子電話やハンドセットが鳴動した後、通信端末装置４０４は自動的にファクス受信モードに遷移する。ここで、「鳴動」として、いわゆる呼び出し音（日本の場合、１秒鳴動、２秒無鳴動の信号が１組として）が扱われる。例えば、呼び出し回数を２回に設定した場合、１秒鳴動、２秒無鳴動、１秒鳴動、２秒無鳴動と続いた後、通信端末装置４０４はファクス受信モードに遷移する。
【０１５０】
一方、着信鳴動を「しない」に設定した場合、着信時に子電話、ハンドセットは一切鳴動せず、通信端末装置４０４は自動的にファクス受信モードに遷移する。
【０１５１】
この着信鳴動の設定は、ユーザがファクス専用機に設定したい場合、「しない」に設定され、ファクスと通話着呼のどちらにも対応したい場合、「する」に設定される。この場合、通話として呼を取れる時間は着信鳴動回数で規定される。
【０１５２】
このように、自動受信のモードは、つぎの２種類に大別され、無鳴動自動受信：データ受信専用モードあるいは鳴動自動受信：データ／通話両対応モードとなる。
【０１５３】
また、「ファクス／電話切替」のモードは、データ受信、通話受信の両方に対応するモードである。このモードでは、通信端末装置は、着信時に一旦着呼し、相手機からファクス手順信号が受信されたか否かを検出する。通信端末装置は、ファクス信号（ファクシミリ信号）が検出された場合、自動的にファクス（データ）通信に入り、ファクス信号が検出されない場合、子電話やハンドセットを鳴動し続け、通話呼としての着呼を促すものである。このファクス／電話切替についても様々な詳細設定があるが、ここではその説明を省略する。
【０１５４】
また、「手動受信」のモードは、通話での着信を行うモードである。このモードは、着信時に子電話、ハンドセットを鳴動させ、ユーザに通話呼として着信させるものである。一旦、ユーザが通話を行った後、ユーザによる操作でファクスの送受信に遷移する。すなわち、手動受信のモードとは通話優先の受信モードである。
【０１５５】
本実施形態では、受信モードの設定状態により、代表番号で着信時に鳴動するべく設定された通話端末（無線ＬＡＮモード付き携帯電話機など）のＳＩＰレジストラサーバへの登録を制御することが行われる。すなわち、通信端末の受信モード設定がファクス受信優先モード（無鳴動自動受信モード）に設定された場合、通信端末装置４０４は、この通話端末のＳＩＰレジストラサーバへの登録を抹消（アンレジスト）する。一方、ファクス受信優先ではないモード（無鳴動自動受信以外のモード）が選択された場合、通信端末装置４０４は、この通話端末をＳＩＰレジストラサーバへ代理登録（レジスト）する。
【０１５６】
このように、ユーザが通信端末装置４０４に設定したモードに応じて、該当する通話端末の着信（鳴動）が制御される。
【０１５７】
図２１は通信端末装置の動作手順を示すフローチャートである。通信端末装置４０４は、ユーザモードの受信仕様設定（受信モード）がユーザにより変更されたか否かを判断し（ステップＳ９１）、変更無しの場合、変更されるまで待つ。
【０１５８】
受信モードが変更された場合、通信端末装置４０４は、その変更された受信モードを検出し（ステップＳ９２）、検出された受信モードがファクス（データ）受信優先に設定されたか否かを判断する（ステップＳ９３）。ここで、ファクス（データ）受信優先モード（データ通信優先モード）とは、無鳴動自動受信モードの設定を指す。
【０１５９】
ファクス受信優先モードの設定であった場合、通信端末装置４０４は、通話端末（無線ＬＡＮモード付き携帯電話機４０５）の登録状況を確認し（レジスト済み確認のため空ＲＥＧＩＳＴＥＲ発行）、携帯電話機４０５の存在（ｐｉｎｇ応答等）を確認する。そして、通信端末装置４０４は、無線ＬＡＮモード付き携帯電話機（通話端末）４０５がＬＡＮ上にはあるがレジストされていないか否かを判別する（ステップＳ９４）。ＬＡＮ上にはあるがレジストされていない場合、通信端末装置４０４はそのまま本処理を終了する。
【０１６０】
一方、通話端末がＬＡＮ上にありかつレジストされている状態である場合、通信端末装置４０４は、通話端末（無線ＬＡＮモード付き携帯電話機）４０５に代わってＳＩＰレジストラサーバへアクセスし、通話端末４０５をアンレジストする（ステップＳ９５）。このアンレジストでは、この通話端末（無線ＬＡＮモード付き携帯電話機４０５）のパスワードとＩＰアドレス（パスワード：ｂｂ、ＩＰアドレス：１９２．１６８．０．２１）が用いられる。この後、通信端末装置４０４は本処理を終了する。
【０１６１】
一方、ステップＳ９３で、受信モードがファクス受信優先以外（無鳴動自動受信以外、データ通信優先モード以外）に変更されたと検出した場合、通信端末装置４０４は、通話端末４０５の登録状況を確認し、通話端末４０５の存在を確認する。通話端末がＬＡＮ上にあるがレジストされていないか否かを判別する（ステップＳ９６）。ＬＡＮ上にあるがレジストされていない場合、通信端末装置４０４は通話端末４０５に代わってＳＩＰレジストラサーバへアクセスし、通話端末４０５をレジストし（ステップＳ９７）、本処理を終了する。
【０１６２】
一方、通話端末がＬＡＮ上にあるがレジストされていた場合、通信端末装置４０４は、そのまま本処理を終了する。なお、ステップＳ９４〜Ｓ９７の詳細な処理は、前記第１の実施形態と同様であるので、ここでは、その説明を省略する。
【０１６３】
このように、第５の実施形態の通信システムでは、通信端末装置のユーザが所望する動作モード（受信モード）設定に従って、自動的にこの通信システムに接続される無線ＬＡＮモード付き携帯端末機などの通話端末の登録を制御することが行われる。
【０１６４】
これにより、着信時の通話端末の無駄な鳴動を防止することができ、さらにこの無駄な鳴動による通話端末でのデータ着信呼を誤って取ることも防止できる。また、通信端末装置の受信モードの設定に従って、自動的にシステムを変更するので、ユーザは意識することなくシステム変更が行える。従って、システム変更の操作性を大きく向上させることができる。
【０１６５】
なお、本発明は、上記実施形態の構成に限られるものではなく、特許請求の範囲で示した機能、または本実施形態の構成が持つ機能が達成できる構成であればどのようなものであっても適用可能である。
【０１６６】
例えば、上記実施形態では、通信端末装置として、ファクシミリ機能を有するデジタル複写機に適用された場合を示したが、これに限らず、ファクシミリ装置、パーソナルコンピュータ等に適用可能である。また、通話装置として、携帯電話機に適用された場合を示したが、固定電話機であってもよいことは勿論である。
【０１６７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１６８】
この場合、記憶媒体から読み出されたプログラムコード自体が前述した実施の形態の機能を実現することになり、そのプログラムコード及び該プログラムコードを記憶した記憶媒体は本発明を構成することになる。
【０１６９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１７０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１７１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１７２】
２０２  デジタル複写機
２０８  操作パネル部
４０１  通信相手機
４０２  宅内ルータ／スイッチ／ＳＩＰレジストラサーバ
４０４  通信端末装置
４０５  携帯電話機
【図１】
2010178044.tif 000003
【図２】
2010178044.tif 000004
【図３】
2010178044.tif 000005
【図４】
2010178044.tif 000006
【図５】
2010178044.tif 000007
【図６】
2010178044.tif 000008
【図７】
2010178044.tif 000009
【図８】
2010178044.tif 000010
【図９】
2010178044.tif 000011
【図１０】
2010178044.tif 000012
【図１１】
2010178044.tif 000013
【図１２】
2010178044.tif 000014
【図１３】
2010178044.tif 000015
【図１４】
2010178044.tif 000016
【図１５】
2010178044.tif 000017
【図１６】
2010178044.tif 000018
【図１７】
2010178044.tif 000019
【図１８】
2010178044.tif 000020
【図１９】
2010178044.tif 000021
【図２０】
2010178044.tif 000022
【図２１】
2010178044.tif 000023